(57)【要約】 【課題】  視覚及び聴覚に障害がある被検者に対して振動により呼吸指示等を与える場合に、被検者からのメッセージを撮影者側で受信確認できるようにした医用診断装置を提供する。  【解決手段】  診断装置には、被検者を載置する寝台に振動可能なグリップを設けるとともに、被検者によって操作可能な操作ボタンを設ける。また、撮影者の操作に応答してグリップを異なる振動パターンで振動させ被検者に各種の指示を与える振動発生器と、被検者により操作ボタンが操作されたときにその操作結果を検出して表示する表示部を有してなる。【選択図】    図１
2007044417.tif 000002
【特許請求の範囲】
【請求項１】
被検者を載置する寝台に設けられた振動可能なグリップと、被検者によって操作可能な操作ボタンとを有する診断装置と、
前記グリップを異なる振動パターンで振動させ、被検者に各種の指示を与えるための振動発生器と、
前記操作ボタンの操作結果を検出し、その検出結果を報知する報知手段と、を具備したことを特徴とする医用診断装置。
【請求項２】
前記グリップは前記振動発生器によって駆動されるバイブレータを内蔵して成ることを特徴とする請求項１記載の医用診断装置。
【請求項３】
前記操作ボタンは、前記グリップに一体に設けられたことを特徴とする請求項１記載の医用診断装置。
【請求項４】
前記操作ボタンは、被検者が検査の継続を了承する第１ボタンと、検査中断の意思を伝える第２ボタンを含むことを特徴とする請求項１記載の医用診断装置。
【請求項５】
前記報知手段は、前記検出結果をディスプレイして知らせる表示部で成ることを特徴とする請求項１記載の医用診断装置。
【請求項６】
被検者を載置する寝台に設けられた振動可能なグリップと、被検者によって操作可能な操作ボタンとを有する診断装置と、
撮影者によって操作可能な操作部と、前記操作部の操作に応答して前記グリップを異なる振動パターンで振動させ被検者に各種の指示を与えるための振動発生器と、被検者により前記操作ボタンが操作されたときその操作結果を検出して表示する表示部とを有する指示伝達装置と、を具備したことを特徴とする医用診断装置。
【発明の詳細な説明】
【技術分野】
【０００１】
本発明は、医用診断装置に係り、特に視覚及び聴覚に障害のある被検者に対して、検査時に触覚を利用して各種の指示を与えるとともに被検者からの応答を確認できるようにした医用診断装置に関する。
【背景技術】
【０００２】
従来、医用診断装置として、Ｘ線ＣＴ装置やＭＲＩ装置（磁気共鳴イメージング装置）等が利用されている。例えばＸ線ＣＴ装置を利用して被検者を検査する場合、「息を吸って」「息を吐いて」「呼吸を止めて」といった呼吸指示を音声やモニタによって与えているが、視覚障害及び聴覚障害をもった被検者に対しては的確な指示を与えることができなかった。このため、視覚、聴覚による指示以外に触覚を利用して被検者に呼吸の指示を与える装置が特許文献１に記載されている。
【０００３】
特許文献１には、テーブルに載置された被検者に視覚、聴覚以外の刺激を与える刺激部と、刺激部を駆動する駆動部と、駆動部を制御する制御部を有する呼吸指示装置が記載されている。上記刺激部としては、バイブレータや風船状のグリップを備え、これら刺激部を利用して被検者に息止めや息止め解除等の指示を与えるようにしている。
【０００４】
しかしながら、特許文献１に記載の例では、撮影者からの指示を刺激部を介して被検者に伝えることができるが、被検者の意思を撮影者に伝えることができないという不具合があった。このため、検査の途中で被検者側にアクシデントが発生した場合（具合が悪くなった場合等）、被検者が検査を中止して欲しくてもうまく伝えられずに検査が続行されることがあった。
【特許文献１】特開平７−３２３０２６号公報
【発明の開示】
【発明が解決しようとする課題】
【０００５】
従来の医用診断装置で、視覚障害及び聴覚障害をもった被検者に対して呼吸の指示を与える方法として、視覚、聴覚以外の刺激を与えて息止めや息止め解除等の指示を与えるものがあったが、被検者の意思を撮影者に伝えることができないという不具合があった。
【０００６】
本発明は、上記事情に鑑み、視覚、聴覚以外の刺激を与えて被検者に呼吸等の指示を与える場合に、被検者からのメッセージを撮影者側で受信確認できるようにした医用診断装置を提供することを目的とする。
【課題を解決するための手段】
【０００７】
本発明の医用診断装置は、被検者を載置する寝台に設けられた振動可能なグリップと、被検者によって操作可能な操作ボタンとを有する診断装置と；前記グリップを異なる振動パターンで振動させ、被検者に各種の指示を与えるための振動発生器と；前記操作ボタンの操作結果を検出し、その検出結果を報知する報知手段と；を具備したことを特徴とする。
【０００８】
また、本発明の医用診断装置は、被検者を載置する寝台に設けられた振動可能なグリップと、被検者によって操作可能な操作ボタンとを有する診断装置と；撮影者によって操作可能な操作部と、前記操作部の操作に応答して前記グリップを異なる振動パターンで振動させ被検者に各種の指示を与えるための振動発生器と、被検者により前記操作ボタンが操作されたときその操作結果を検出して表示する表示部とを有する指示伝達装置と；を具備したことを特徴とする。
【発明の効果】
【０００９】
本発明によれば、異なる振動バターンでグリップを振動させることにより、撮影者からの各種の指示を被検者に伝えることができ、被検者からも撮影者に意思を伝えることが可能となり、安全性に優れた医用診断装置を提供することができる。
【発明を実施するための最良の形態】
【００１０】
以下、この発明の医用診断装置の一実施形態について図面を参照して詳細に説明する。
【実施例１】
【００１１】
図１は本発明の医用診断装置の全体構成を示す構成図である。図１において１０は診断装置であり、例えばＸ線ＣＴ装置が用いられる。尚、Ｘ線ＣＴ装置のほかにＭＲＩ装置（磁気共鳴イメージング装置）や、Ｘ線撮影装置にも適用することができる。
【００１２】
Ｘ線ＣＴ装置１０は、架台１１内にＸ線管及びＸ線検出器（図示略）を備え、Ｘ線検出器からのデータをデータ収集部で収集し、収集したデータを処理して画像診断を行う。架台１１には環状の穴部１２が設けられ、被検者Ｐを載せた寝台天板１３を矢印ｘ方向に移動することでヘリカルスキャン等を行い、被検者Ｐの断層像を得ることができる。
【００１３】
前記寝台天板１３には、被検者Ｐが手で握ることができるグリップ１４が設けられている。グリップ１４は丸円に拡大して示すように、被検者が操作可能な操作ボタン１４１、１４２が設けられており、グリップ１４内にはバイブレータ１５が設けられ、後述する振動発生器によって振動する構造になっている。
【００１４】
操作ボタン１４１，１４２は、操作者の意思を撮影者に伝達するため、例えば検査の継続を了承する「ＯＫ」ボタンと、検査の中断希望を伝える「ＮＧ」ボタンの２種のボタンで構成される。
【００１５】
図２は、指示伝達装置２０のブロック図である。指示伝達装置２０は、前記グリップ１４を振動させて撮影者から被検者Ｐに対して呼吸指示等を与えるとともに、被検者Ｐからの意思を撮影者に伝えるためのものである。
【００１６】
図２において、２１は指示伝達装置２０の動作を制御する制御部であり、制御部２１には操作部２２と表示部２３が接続され、さらに制御部２１には振動発生器２４が接続され、この振動発生器２４によって前記グリップ１４内に設けたバイブレータ１５を駆動する。また、被検者Ｐによって操作ボタン１４１，１４２が操作されたときに、いずれの操作ボタンが押されたかを検出する検出部２５を有し、検出部２５の検出結果が制御部２１に送られ、被験者Ｐの意思を表示部２３に表示できるようにしている。
【００１７】
次に、図３を参照して本発明の医用診断装置の動作を説明する。本発明では、撮影者が操作部２２を操作することにより、振動発生器２４を駆動して、被検者Ｐに各種の指示を与えることができる。振動発生器２４は複数の振動パターンでバイブレータ１５を駆動し、バイブレータ１５は、操作部２２の操作に応答していずれかの振動パターンで振動する。
【００１８】
図３（ａ）は、例えば検査開始を知らせる振動パターンであり、（ｂ）は「息を吸って」の指示、（ｃ）は「呼吸を止めて」の指示、（ｄ）は「息を吐いて」の指示、（ｅ）は検査終了をそれぞれ伝えるための振動パターンである。
【００１９】
振動パターンは、例えば振動する期間とその間隔によってそれぞれ異なる指示を被検者に伝えることができる。例えば図（ａ）と（ｅ）ではバイブレータ１５が比較的長く振動することで、被検者は検査の開始と終了を知ることができる。また（ｂ），（ｃ），（ｄ）ではバイブレータ１５が短期間に何回駆動されるかで、いずれの指示がされたかを知ることができる。
【００２０】
尚、振動パターンは図３の例に限られることはなく、振動の期間や間隔を変えるほかに、振動周波数を変えても良い。さらに、振動強度を変化させても良い。但し、被検者が覚えやすい振動パターンにする必要がある。
【００２１】
一方、被検者Ｐは振動パターンに応じてグリップ１４の振動状態を判別し、検査の開始の合図（振動パターン（ａ））があったとき、検査ＯＫであれば「ＯＫ」ボタン１４１を押す。これにより撮影者は呼吸指示を与えて、息を吸ったり、止めたり、吐いたりといった指示を与え、被検者はそれに応答して呼吸を行う。
【００２２】
また、検査の途中で被検者Ｐにアクシデントが発生し、検査を中止して欲しい場合は、「ＮＧ」ボタン１４２を押すことで、検査中断のメッセージを伝えることができる。操作ボタン１４１，１４２が押された場合、検出部２５でいずれのボタンが押されたかを判別し、表示部２３にディスプレイされる。例えば、「ＯＫ」ボタン１４１が押された場合はＯＫのマークが緑色等で表示され、「ＮＧ」ボタン１４２が押された場合には、ＮＧのマークが赤色等で点滅表示される。
【００２３】
こうして撮影者は表示部２３での表示状態を見ることで被検者Ｐの意思を知ることができ、呼吸指示に応答してタイミングよく撮影することができる。また、被検者Ｐは指示に応じて、呼吸を行い、不具合が発生した場合には即座に撮影者に知らせることができる。
【００２４】
図４は、Ｘ線ＣＴ装置１０による検査開始から検査終了までの間の撮影者と被検者Ｐの検査対応の流れを示したフローチャートである。検査が開始されると、ステップＳ１では、被検者Ｐに振動パターンを点字により覚えてもらう。こうして振動パターンの確認が終了すると、次のステップＳ２では撮影準備にかかり、被検者Ｐは寝台天板１３に載ってグリップ１４を持ち、撮影者は撮影の準備をする。撮影準備が完了すると、撮影者の操作により撮影開始の合図を（振動パターン）被検者に送る。
【００２５】
ステップＳ３は、被験者Ｐによる応答を判断するステップであり、操作ボタン14の操作状況を判別する。「ＯＫ」ボタン１４１が操作され、撮影者がそれを確認すると次の撮影開始ステップＳ４に進み、各種の呼吸指示を送り、グリップ１４を通じて呼吸指示がなされ、撮影が行われる。
【００２６】
また、判断ステップＳ３において、被検者Ｐが「ＮＧ」ボタン１４２を操作したことが検出されると、ステップＳ５の検査中断ステップに進む。また、ステップＳ３とＳ４は循環し、被検者Ｐが「ＮＧ」ボタン１４２を操作した場合は撮影途中であっても直ちに検査中断ステップＳ５に移行するようにしている。
【００２７】
このように、本発明によれば、異なる振動バターンでグリップ１４を振動させることにより、撮影者からの各種の指示を被検者Ｐに伝えることができる。また、被検者も操作ボタン１４１，１４２を操作することにより、撮影者に被験者側の意思を伝えることが可能となり、被検者の具合が悪いときなど、すぐに撮影を中断できるため、安全性に優れた医用診断装置を提供することができる。
【００２８】
尚、以上の説明に限定されることなく、特許請求の範囲を逸脱しない範囲で種々の実施形態が考えられる。例えば、操作ボタン１４１，１４２はグリップ１４に設ける例を述べたが、操作ボタン１４１，１４２は寝台天板１３に設け、被検者Ｐは一方の手でグリップ１４を握り、他方の手で操作ボタン１４１，１４２を操作するようにしても良い。また、検出器２５の検出結果を表示部２３にディスプレイして報知する例を述べたが、これに限らず、音により報知したり、音とディスプレイの両者で報知するようにしても良い。
【図面の簡単な説明】
【００２９】
【図１】本発明の医用診断装置の一実施形態を説明する全体構成図。
【図２】同実施形態の医用診断装置に使用する指示伝達装置の構成を示すブロック図。
【図３】同実施形態の医用診断装置に使用するグリップの振動パターンの一例を説明する説明図。
【図４】同実施形態の医用診断装置における検査対応の流れを示すフローチャート。
【符号の説明】
【００３０】
１０…Ｘ線ＣＴ装置（医用診断装置）
１１…架台
１２…穴部
１３…寝台天板
１４…グリップ
１４１，１４２…操作ボタン
１５…バイブレータ
２０…指示伝達装置
２１…制御部
２２…操作部
２３…表示部
２４…振動発生器
２５…検出部
【図１】
2007044417.tif 000003
【図２】
2007044417.tif 000004
【図３】
2007044417.tif 000005
【図４】
2007044417.tif 000006